(57)【要約】【課題】作業者の健康被害や作業環境の悪化を抑制することができる屋上スラブ吊孔穿孔装置を提供する。【解決手段】屋上スラブ吊孔穿孔装置は、屋上スラブを穿孔して移送用の吊孔を形成するものであって、屋上スラブの床面上に載置される枠体と、枠体に固定される乾式のコアドリルユニットであって、屋上スラブを屋上スラブの厚さ方向に沿って円環状に切削して貫通孔を形成する少なくとも一つのコアドリルユニットと、コアドリルユニットの切削箇所近傍の集じんを行う吸引装置であって、吸引力により貫通孔を形成する際に生じるコアガラのコアドリルユニットの内部からの脱落を防止可能な吸引装置と、を備える。【選択図】  図１
2019049153.tif 000002
【特許請求の範囲】
【請求項１】
屋上スラブを穿孔して移送用の吊孔を形成する屋上スラブ吊孔穿孔装置であって、
前記屋上スラブ吊孔穿孔装置は、
前記屋上スラブの床面上に載置される枠体と、
前記枠体に固定される乾式のコアドリルユニットであって、前記屋上スラブを前記屋上スラブの厚さ方向に沿って円環状に切削して貫通孔を形成する少なくとも一つのコアドリルユニットと、
前記コアドリルユニットの切削箇所近傍の集じんを行う吸引装置であって、吸引力により前記貫通孔を形成する際に生じるコアガラの前記コアドリルユニットの内部からの脱落を防止可能な吸引装置と、を備える、
ことを特徴とする屋上スラブ吊孔穿孔装置。
【請求項２】
前記コアドリルユニットは、
円筒状のコアビットと、
前記コアビットの軸方向の一端部に設けられる切削刃と、
前記コアビットを回転可能に支持するとともに、前記コアビットを回転駆動させるドリルユニットであって、前記コアビットを前記屋上スラブの前記厚さ方向に沿って昇降可能なドリルユニットと、を備えることを特徴とする請求項１に記載の屋上スラブ吊孔穿孔装置。
【請求項３】
前記コアドリルユニットは、前記枠体に対して水平な方向に沿って直線移動可能に構成されていることを特徴とする請求項１又は２に記載の屋上スラブ吊孔穿孔装置。
【請求項４】
前記コアドリルユニットは、円筒状のコアビットを含み、
前記屋上スラブ吊孔穿孔装置は、前記コアビットの開口の少なくとも一部を塞ぐように移動可能に構成されるコアガラ支持台を有するコアガラ脱落防止装置をさらに備えることを特徴とする請求項１〜３のいずれか１項に記載の屋上スラブ吊孔穿孔装置。
【請求項５】
前記屋上スラブ吊孔穿孔装置は、前記コアドリルユニットを複数備え、
前記吸引装置は、
前記吸引力を発生させる吸引力発生装置と、
前記吸引力発生装置で発生される前記吸引力を前記複数のコアドリルユニットの一つに択一的に供給するための切替バルブ装置と、を含むことを特徴とする請求項１〜４のいずれか１項に記載の屋上スラブ吊孔穿孔装置。
【請求項６】
前記吸引装置は、
前記枠体の内部に配置されるサイクロン式の第１集じん装置と、
前記枠体の内部に配置されるとともに、前記第１集じん装置の下流側に配置されるフィルター式の第２集じん装置と、
前記枠体の内部に配置されるとともに、前記第２集じん装置の下流側に配置されるエアフィルター式の第３集じん装置と、を含むことを特徴とする請求項１〜５のいずれか１項に記載の屋上スラブ吊孔穿孔装置。
【請求項７】
前記第１集じん装置は、着脱可能な第１集じん回収容器を有し、
前記第２集じん装置は、着脱可能な第２集じん回収容器を有することを特徴とする請求項６に記載の屋上スラブ吊孔穿孔装置。
【請求項８】
前記コアドリルユニット及び前記吸引装置は、遠隔操作可能に構成されており、
前記屋上スラブ吊孔穿孔装置は、前記枠体の内部に配置される無線装置であって、前記コアドリルユニット及び前記吸引装置を遠隔操作するための無線装置をさらに備えることを特徴とする請求項１〜７のいずれか１項に記載の屋上スラブ吊孔穿孔装置。
【請求項９】
前記屋上スラブ吊孔穿孔装置は、前記コアドリルユニットによる前記屋上スラブの穿孔状況を確認するための穿孔状況確認装置をさらに備え、
前記穿孔状況確認装置は、
前記コアドリルユニットの前記切削箇所近傍を撮影する撮像装置と、
前記コアドリルユニットの切削音を収集する集音装置と、の少なくともいずれか一つを含むことを特徴とする請求項８に記載の屋上スラブ吊孔穿孔装置。
【請求項１０】
前記屋上スラブ吊孔穿孔装置は、前記枠体の内部に配置される駆動力発生装置であって、前記コアドリルユニット及び前記吸引装置の駆動力を発生させる駆動力発生装置をさらに備えることを特徴とする請求項８又は９に記載の屋上スラブ吊孔穿孔装置。
【請求項１１】
前記枠体は、
前記枠体の上方に設けられて前記枠体と玉掛け装置との連結時において前記玉掛け装置の位置決めを行うガイド部と、
前記枠体の上方に設けられて前記玉掛け装置との連結に用いられる開口を有する少なくとも一つの連結部と、を含むことを特徴とする請求項１〜１０のいずれか１項に記載の屋上スラブ吊孔穿孔装置。
【発明の詳細な説明】
【技術分野】
【０００１】
本開示は、屋上スラブを穿孔して移送用の吊孔を形成する屋上スラブ吊孔穿孔装置に関する。
【背景技術】
【０００２】
従来、建物の床版部材を解体する方法として、ブレードカッター装置の回転するブレードを切り込ませて床版部材を切断して、切断分離された床版部材と非分離側の床版部材にわたって複数の床版保持／吊下用部材を載置して、該床版保持／吊下用部材を切断分離された床版部材に接続した後に、床版保持／吊下用部材に形成された吊り孔に吊り上げ搬送用の索体を接続して、床版保持／吊下用部材とともに、切断分離した床版部材を吊り下げて搬送撤去するという方法がある（特許文献１参照）。
【０００３】
特許文献１には、建物の床版部材の解体作業の効率化を図るために、ブレードカッター装置の回転するブレードを切り込ませて床版部材を切断することで、騒音や振動の発生、粉じんの飛散を大幅に抑えることや、床版保持／吊下用部材に形成された吊り孔に吊り上げ搬送用の索体を接続することで、クレーンを用いて床版部材を吊上げて容易に搬送撤去できることなどが開示されている。
【０００４】
また、特許文献２には、コンクリート床などに穿孔を施して円柱状の貫通孔を形成する前に、コンクリート床の穿孔予定箇所に固定具の底面を突き合わせて接着をし、穿孔の際に、コアビットの内部に設けられる引っ掛け具の係止フック部を固定具の被係止部に係止させることで、コアの落下を防止することが開示されている。
【先行技術文献】
【特許文献】
【０００５】
【特許文献１】特開２０１４−２０１９３３号公報
【特許文献２】特開２０１４−７３６２４号公報
【発明の概要】
【発明が解決しようとする課題】
【０００６】
しかしながら、特許文献１において記載があるように、建物の解体作業時には、大きな騒音や振動が発生したり、粉じんが飛散したりするので、近隣や作業現場内に環境上の悪影響が大きい。このため、作業現場内の環境が、作業現場内で働く作業者の健康に与える悪影響も小さなものではない。
【０００７】
特に、特許文献２において記載されているような、建物の内部に放射性物質や化学性物質などの汚染物質が存在している場合には、屋上スラブを解体する際に、作業現場内の環境や作業者の健康に悪影響を与える虞がある。
【０００８】
上述の事情に鑑みて、本発明の少なくとも一実施形態は、作業者の健康被害や作業環境の悪化を抑制することができる屋上スラブ吊孔穿孔装置を提供することを目的とする。
【課題を解決するための手段】
【０００９】
（１）本発明の少なくとも一実施形態に係る屋上スラブ吊孔穿孔装置は、
屋上スラブを穿孔して移送用の吊孔を形成する屋上スラブ吊孔穿孔装置であって、
前記屋上スラブ吊孔穿孔装置は、
前記屋上スラブの床面上に載置される枠体と、
前記枠体に固定される乾式のコアドリルユニットであって、前記屋上スラブを前記屋上スラブの厚さ方向に沿って円環状に切削して貫通孔を形成する少なくとも一つのコアドリルユニットと、
前記コアドリルユニットの切削箇所近傍の集じんを行う吸引装置であって、吸引力により前記貫通孔を形成する際に生じるコアガラの前記コアドリルユニットの内部からの脱落を防止可能な吸引装置と、を備える。
【００１０】
上記（１）の構成によれば、屋上スラブ吊孔穿孔装置は、屋上スラブの床面上に載置される枠体と、枠体に固定される乾式のコアドリルユニットであって、屋上スラブを円環状に切削して貫通孔（吊孔）を形成する少なくとも一つのコアドリルユニットと、吸引装置と、を備えている。そして、屋上スラブ吊孔穿孔装置は、吸引装置がコアドリルユニットの切削箇所近傍の集じんを行うので、コアドリルユニットにより屋上スラブを切削する際に生じる粉じんが飛散することを抑制することができる。また、屋上スラブ吊孔穿孔装置は、吸引装置が吸引力によりコアガラのコアドリルユニットの内部からの脱落を防止可能であるので、コアガラが貫通孔を通り屋上スラブの下方に落下するのを防止することができ、かつ、コアガラがコアドリルユニットの外部に直接的に影響を与えることを妨げることができる。
【００１１】
したがって、上記の構成によれば、作業者の健康被害や作業環境の悪化を抑制することができる。
【００１２】
（２）幾つかの実施形態では、上記（１）の構成において、
前記コアドリルユニットは、
円筒状のコアビットと、
前記コアビットの軸方向の一端部に設けられる切削刃と、
前記コアビットを回転可能に支持するとともに、前記コアビットを回転駆動させるドリルユニットであって、前記コアビットを前記屋上スラブの前記厚さ方向に沿って昇降可能なドリルユニットと、を備える。
【００１３】
上記（２）の構成によれば、コアドリルユニットは、円筒状のコアビットと、コアビットの軸方向の一端部に設けられる切削刃と、ドリルユニットと、を備えている。そして、ドリルユニットは、コアビットを回転可能に支持するとともに、コアビットを回転駆動させるものである。さらに、ドリルユニットは、コアビットを屋上スラブの厚さ方向に沿って昇降可能である。このようなドリルユニットは、切削刃がコアビットと一緒にドリルユニットにより回転駆動して、屋上スラブの厚さ方向に沿って円環状に切削することにより、移送用の吊孔を形成することができる。
【００１４】
（３）幾つかの実施形態では、上記（１）又は（２）の構成において、
前記コアドリルユニットは、前記枠体に対して水平な方向に沿って直線移動可能に構成されている。
上記（３）の構成によれば、コアドリルユニットは、枠体に対して水平な方向に沿って直線移動可能に構成されているので、コアドリルユニットを枠体に対して水平な方向に沿って直線に移動した場所で、コアドリルユニットによる屋上スラブの切削を行うことができる。このため、例えばコアドリルユニットによる切削対象である屋上スラブや屋上スラブの下方に設けられる部材が固いなどの理由によって、コアドリルユニットによる切削が困難な場合には切削箇所を変更することができる。
【００１５】
（４）幾つかの実施形態では、上記（１）〜（３）の構成において、
前記コアドリルユニットは、円筒状のコアビットを含み、
前記屋上スラブ吊孔穿孔装置は、前記コアビットの開口の少なくとも一部を塞ぐように移動可能に構成されるコアガラ支持台を有するコアガラ脱落防止装置をさらに備える。
上記（４）の構成によれば、屋上スラブ吊孔穿孔装置は、コアビットの開口の少なくとも一部を塞ぐように移動可能に構成されるコアガラ支持台を有するコアガラ脱落防止装置を備えるので、コアガラに吸引装置による吸引力が働かなくなった場合には、コアガラはコアガラ支持台に支持されるため、コアガラが貫通孔を通り屋上スラブの下方に落下するのを防止することができる。
【００１６】
（５）幾つかの実施形態では、上記（１）〜（４）の構成において、
前記屋上スラブ吊孔穿孔装置は、前記コアドリルユニットを複数備え、
前記吸引装置は、
前記吸引力を発生させる吸引力発生装置と、
前記吸引力発生装置で発生される前記吸引力を前記複数のコアドリルユニットの一つに択一的に供給するための切替バルブ装置と、を含む。
上記（５）の構成によれば、吸引装置は、吸引力を発生させる吸引力発生装置と、吸引力発生装置で発生される吸引力を複数のコアドリルユニットの一つに択一的に供給するための切替バルブ装置と、を含むので、吸引力発生装置で発生される吸引力は、切替バルブ装置により一つのコアドリルユニットのみに供給される。このため、吸引力発生装置は、一つのコアドリルユニットがコアガラの内部からの脱落を防止できる位の吸引力を発生させれば良いので、必要な吸引力の増大に伴う吸引力発生装置や屋上スラブ吊孔穿孔装置の大型化や重量化を防止することができる。
【００１７】
（６）幾つかの実施形態では、上記（１）〜（５）の構成において、
前記吸引装置は、
前記枠体の内部に配置されるサイクロン式の第１集じん装置と、
前記枠体の内部に配置されるとともに、前記第１集じん装置の下流側に配置されるフィルター式の第２集じん装置と、
前記枠体の内部に配置されるとともに、前記第２集じん装置の下流側に配置されるエアフィルター式の第３集じん装置と、を含む。
【００１８】
上記（６）の構成によれば、吸引装置は、サイクロン式の第１集じん装置、フィルター式の第２集じん装置、エアフィルター式の第３集じん装置の順に三段階にわたって集じんを行うことができるので、吸引装置から外部に排出される空気に含まれる集じんの量を少なくすることができる。
【００１９】
（７）幾つかの実施形態では、上記（６）の構成において、
前記第１集じん装置は、着脱可能な第１集じん回収容器を有し、
前記第２集じん装置は、着脱可能な第２集じん回収容器を有する。
【００２０】
上記（７）の構成によれば、吸引装置は、第１集じん装置、第２集じん装置、第３集じん装置の順に三段階にわたって集じんを行う。そして、粉じんが溜まりやすい第１集じん装置や第２集じん装置は、着脱可能な第１集じん回収容器や第２集じん回収容器の内部に粉じんを溜めることができる。そして、第１集じん回収容器や第２集じん回収容器の内部に所定量の粉じんが溜まった場合には、作業者は、これらの集じん回収容器を新しいものに交換すればよいので、粉じんが第１集じん回収容器や第２集じん回収容器から外部に飛散することを防止することができる。
【００２１】
（８）幾つかの実施形態では、上記（１）〜（７）の構成において、
前記コアドリルユニット及び前記吸引装置は、遠隔操作可能に構成されており、
前記屋上スラブ吊孔穿孔装置は、前記枠体の内部に配置される無線装置であって、前記コアドリルユニット及び前記吸引装置を遠隔操作するための無線装置をさらに備える。
上記（８）の構成によれば、屋上スラブ吊孔穿孔装置は、枠体の内部に配置される無線装置によりコアドリルユニットや吸引装置を遠隔操作可能に構成されているので、作業者は屋上スラブ吊孔穿孔装置から離れた所から遠隔操作により、屋上スラブを切削することができる。このため、作業者の健康被害や作業環境の悪化を抑制することができる。
【００２２】
（９）幾つかの実施形態では、上記（８）の構成において、
前記屋上スラブ吊孔穿孔装置は、前記コアドリルユニットによる前記屋上スラブの穿孔状況を確認するための穿孔状況確認装置をさらに備え、
前記穿孔状況確認装置は、
前記コアドリルユニットの前記切削箇所近傍を撮影する撮像装置と、
前記コアドリルユニットの切削音を収集する集音装置と、の少なくともいずれか一つを含む。
【００２３】
上記（９）の構成によれば、屋上スラブ吊孔穿孔装置は、コアドリルユニットによる屋上スラブの穿孔状況を確認するための穿孔状況確認装置を備えている。そして、穿孔状況確認装置は、コアドリルユニットの切削箇所近傍を撮影する撮像装置や、コアドリルユニットの切削音を収集する集音装置を含むものである。このため、作業者は、屋上スラブ吊孔穿孔装置から離れた所から穿孔状況確認装置によりコアドリルユニットによる屋上スラブの穿孔状況を確認することができるので、遠隔操作により屋上スラブを効率的に切削することができる。
【００２４】
（１０）幾つかの実施形態では、上記（８）又は（９）の構成において、
前記屋上スラブ吊孔穿孔装置は、前記枠体の内部に配置される駆動力発生装置であって、前記コアドリルユニット及び前記吸引装置の駆動力を発生させる駆動力発生装置をさらに備える。
上記（１０）の構成によれば、屋上スラブ吊孔穿孔装置は、コアドリルユニットや吸引装置の駆動力を発生させる駆動力発生装置を枠体の内部に備えているので、屋上スラブ吊孔穿孔装置は、例えば揚重機による搬送先においてコアドリルユニットや吸引装置を駆動させることができる。上記の構成によれば、作業者は、屋上スラブ吊孔穿孔装置が作業者から離れた遠隔地に配置された場合においても、コアドリルユニットや吸引装置を駆動させることができる。
【００２５】
（１１）幾つかの実施形態では、上記（１）〜（１０）の構成において、
前記枠体は、
前記枠体の上方に設けられて前記枠体と玉掛け装置との連結時において前記玉掛け装置の位置決めを行うガイド部と、
前記枠体の上方に設けられて前記玉掛け装置との連結に用いられる開口を有する少なくとも一つの連結部と、を含む。
上記（１１）の構成によれば、枠体は、玉掛け装置との連結時において玉掛け装置の位置決めを行うガイド部や、玉掛け装置との連結に用いられる開口を有する連結部を含むものであるので、屋上スラブ吊孔穿孔装置と玉掛け装置との位置合わせや連結を容易に行うことができる。
【発明の効果】
【００２６】
本発明の少なくとも一実施形態によれば、作業者の健康被害や作業環境の悪化を抑制することができる屋上スラブ吊孔穿孔装置が提供される。
【図面の簡単な説明】
【００２７】
【図１】本発明の一実施形態にかかる屋上スラブ吊孔穿孔装置の正面図を概略的に示す概略正面図である。
【図２】図１に示す屋上スラブ吊孔穿孔装置の上面図を概略的に示す概略上面図である。
【図３】図１に示す屋上スラブ吊孔穿孔装置の右側面図を概略的に示す概略右側面図である。
【図４】図１に示す屋上スラブ吊孔穿孔装置を用いる、屋上スラブの解体方法の一例を示すフローチャートである。
【図５】図１に示すＡ部分を拡大して示す概略部分拡大図である。
【図６】本発明の一実施形態におけるコアドリルユニット及び吸引装置による吸引について説明するための説明図である。
【図７】本発明の一実施形態における吸引装置のシステム構成図であって、コアガラの吸引や、吸引口から吸引された空気中に含まれる粉じんの除去について説明するための図である。
【図８】本発明の一実施形態におけるコアガラ脱落防止装置の動作を説明するための図であって、コアガラ支持台が後進した状態を示す図である。
【図９】本発明の一実施形態におけるコアガラ脱落防止装置の動作を説明するための図であって、コアガラ支持台が前進した状態を示す図である。
【図１０】本発明の一実施形態にかかる屋上スラブ吊孔穿孔装置の制御システムの構成図を概略的に示す概略図である。
【図１１】本発明の一実施形態にかかる屋上スラブ吊孔穿孔装置における穿孔状況確認装置を説明するための説明図である。
【図１２】本発明の一実施形態にかかる屋上スラブ吊孔穿孔装置に連結される玉掛け装置の斜視図を概略的に示す概略斜視図である。
【図１３】本発明の一実施形態にかかる屋上スラブ吊孔穿孔装置と玉掛け装置との連結を説明するための説明図である。
【発明を実施するための形態】
【００２８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２９】
図１は、本発明の一実施形態にかかる屋上スラブ吊孔穿孔装置の正面図を概略的に示す概略正面図である。図２は、図１に示す屋上スラブ吊孔穿孔装置の上面図を概略的に示す概略上面図である。図３は、図１に示す屋上スラブ吊孔穿孔装置の右側面図を概略的に示す概略右側面図である。図４は、図１に示す屋上スラブ吊孔穿孔装置を用いる、屋上スラブの解体方法の一例を示すフローチャートである。まず、図４を用いて、屋上スラブ吊孔穿孔装置１を用いる屋上スラブ解体方法１９について説明する。
【００３０】
屋上スラブ解体方法１９は、図４に示されるような、屋上スラブ吊孔穿孔工程Ｓ１０と、屋上スラブ切断工程Ｓ２０と、アンカープレート設置工程Ｓ３０と、固定ピン固定工程Ｓ４０と、縁切り確認工程Ｓ５０と、スラブブロック移送工程Ｓ６０と、を含んでいる。屋上スラブ吊孔穿孔工程Ｓ１０は、屋上スラブ２０を穿孔して移送用の吊孔を形成する工程である。屋上スラブ切断工程Ｓ２０は、屋上スラブ２０を縦横に切断して略矩形の板状のスラブブロックを形成する工程である。アンカープレート設置工程Ｓ３０は、該スラブブロック上にアンカープレートを設置する工程である。
【００３１】
そして、固定ピン固定工程Ｓ４０は、該アンカープレートをスラブブロックに吊孔を挿通する固定ピンにより固定する工程である。縁切り確認工程Ｓ５０は、スラブブロックを屋上スラブより上方に持ち上げた後に下げて、スラブブロックの縁切りを確認する工程である。スラブブロック移送工程Ｓ６０は、アンカープレートにスラブブロック吊上げ装置を連結した後にスラブブロックをアンカープレート及びスラブブロック吊上げ装置と一緒に揚重機で吊上げて他の移送先に移送する工程である。
【００３２】
屋上スラブ吊孔穿孔装置１は、屋上スラブ解体方法１９の屋上スラブ吊孔穿孔工程Ｓ１０において、屋上スラブ２０を穿孔して移送用の吊孔（貫通孔２０ｂ）を形成するのに用いられるものである。以下、屋上スラブ吊孔穿孔装置１が備える各々の構成について、それぞれ説明する。
【００３３】
図１〜図１３に示される実施形態では、屋上スラブ吊孔穿孔装置１は、図１〜３に示されるような、枠体２と、少なくとも一つの乾式のコアドリルユニット３と、吸引装置４と、を備えている。
【００３４】
枠体２は、図１〜３、５、１１、１３に示されるような、屋上スラブ２０の床面２０ａ上に載置されるものであって、枠本体２１と、枠本体２１の下部に固定される複数の支持脚２２と、を含んでいる。枠本体２１は、鉛直方向に沿って長手方向を有する複数の縦枠部材２１ａと、水平方向に沿って長手方向を有する複数の横枠部材２１ｂと、が複数組み合われて互いに連結固定されることにより、図１中左右方向に沿って長手方向を有し、かつ、長手方向の両端部の上端部側が中央部の上端部よりも凹むような略直方体状に形成されている。より具体的には、枠本体２１は、図１、２に示されるような、長手方向の中央枠部２１ｃが略直方体状に形成されるとともに、長手方向の両側の端枠部２１ｄ，２１ｅそれぞれが中央枠部２１ｃよりも小さい略直方体状に形成されており、これらが一体的に設けられている。ここで、縦枠部材２１ａ及び横枠部材２１ｂには、例えば四角筒状の鋼管や、Ｉ形鋼、Ｌ形鋼などの形鋼が用いられる。また、支持脚２２は、図１、３に示されるような、屋上スラブ２０の床面２０ａ上に載置されるものであって、枠本体２１を下側から支持するものである。幾つかの実施形態では、支持脚２２は、自身の長さ寸法を変更可能に設けられている。この場合には、床面２０ａに不陸がある場合であっても、枠本体２１が水平になるように支持することができる。
【００３５】
コアドリルユニット３は、図５に示されるような、屋上スラブ２０を屋上スラブ２０の厚さ方向に沿って円環状に切削して貫通孔２０ｂを形成するものである。そして、コアドリルユニット３は、図１〜３、５に示されるような、枠本体２１の端枠部２１ｄ，２１ｅの内部に配置されて、枠本体２１に固定されている。ここで、図５は、図１に示すＡ部分を拡大して示す概略部分拡大図である。
【００３６】
そして、コアドリルユニット３は、図５、６に示されるような、コアビット３１と、コアビット３１の軸方向の一端部に設けられる切削刃３２と、コアビット３１の軸方向の他端部に取付けられるドリルユニット３３と、を備えている。コアビット３１は、図６中上下方向に沿って軸線Ｌｃを有する円筒状の胴体部３１ａと、胴体部３１ａの上端部から上方に突出する筒状の連結部３１ｂと、を含むものである。そして、連結部３１ｂは、軸線が胴体部３１ａの軸線Ｌｃと略同一線上に配置されており、外形寸法が胴体部３１ａの外径寸法よりも小さく形成されている。また、連結部３１ｂは、胴体部３１ａの内周面３１ｃと連通する内側面３１ｄが後述する吸引装置４の吸引口になっている。
【００３７】
切削刃３２は、図５、６に示されるような、胴体部３１ａの下端部に設けられて、該下端部の円環状の端面から下方に突出する、互いに同一円周上に間隔をおいて設けられる複数の円弧状の凸部３２ａを有している。また、切削刃３２は、隣接する凸部３２ａとの間に溝部３２ｂを形成するようになっている。そして、切削刃３２の凸部３２ａは、外側面３２ｃが胴体部３１ａの外周面３１ｅより外側に突出するとともに、内側面３２ｄが胴体部３１ａの内周面３１ｃより内側に突出するように設けられている。
【００３８】
ドリルユニット３３は、コアビット３１を回転可能に支持するとともに、コアビット３１を回転駆動させるものである。より具体的には、ドリルユニット３３は、図５に示されるような、コアビット３１の連結部３１ｂが略同心状に着脱可能に設けられるコアビット支持部３３ａと、コアビット支持部３３ａを回転駆動させる駆動源内蔵部３３ｂとを有するものである。そして、駆動源内蔵部３３ｂは、コアビット支持部３３ａを回転自在に支持する不図示の軸受と、駆動源内蔵部３３ｂ内に配置されて、コアビット支持部３３ａを回転駆動させるための不図示の回転駆動用駆動源と、駆動源内蔵部３３ｂ内に配置されて、コアビット支持部３３ａに上述した回転駆動用駆動源の駆動力を伝達させる不図示の駆動力伝達部材と、を備えている。ここで、回転駆動用駆動源にはモータが含まれる。また、駆動力伝達部材には、プーリーやベルト、歯車などが含まれる。
【００３９】
また、ドリルユニット３３は、コアビット３１を屋上スラブ２０の厚さ方向に沿って昇降可能に構成されている。より具体的には、ドリルユニット３３は、図５に示されるような、鉛直方向に沿って長手方向を有し、長手方向に沿ってラック３３ｆが敷設されている支柱部３３ｃと、駆動源内蔵部３３ｂに固定されるとともに、ラック３３ｆに噛合される不図示のピニオンを有するスライド部３３ｄと、該ピニオンを回転駆動するためのスライド用駆動源３３ｅと、をさらに有している。ここで、スライド用駆動源３３ｅにはモータや、空圧、油圧等のアクチュエータが含まれる。そして、ドリルユニット３３の支柱部３３ｃは、枠本体２１に固定されている。
【００４０】
幾つかの実施形態では、ドリルユニット３３は、枠体２に対して水平な方向に沿って直線移動可能に構成されている。より具体的には、屋上スラブ吊孔穿孔装置１は、図１〜３、５、１１に示されるような、スライドテーブル装置１１をさらに備えている。スライドテーブル装置１１は、図５に示されるような、水平方向に沿って長手方向を有する長尺状のガイドレール１１ａと、ガイドレール１１ａに対向して設けられて、ガイドレール１１ａに対してガイドレール１１ａの長手方向の相対位置を変位可能に構成されているスライドテーブル１１ｂと、を備えている。そして、スライドテーブル装置１１は、図５に示されるような、ガイドレール１１ａが枠本体２１に固定されており、スライドテーブル１１ｂにドリルユニット３３の支柱部３３ｃが固定されている。
【００４１】
吸引装置４は、コアドリルユニット３の切削箇所近傍の集じんを行うものである。また、吸引装置４は、吸引力により貫通孔２０ｂを形成する際に生じるコアガラ１０のコアドリルユニット３の内部からの脱落を防止可能に構成されている。また、吸引装置４を構成する幾つかの機器は、図１、２に示されるような、収納容器１２内に収納されている。ここで、図６は、本発明の一実施形態におけるコアドリルユニット及び吸引装置による吸引について説明するための説明図である。図７は、本発明の一実施形態における吸引装置のシステム構成図であって、コアガラの吸引や、吸引口から吸引された空気中に含まれる粉じんの除去について説明するための図である。
【００４２】
幾つかの実施形態では、吸引装置４は、図１、６、７、１１に示されるような、コアビット３１の連結部３１ｂの内側面３１ｄを吸引口４ａとして吸引力を発生させる吸引力発生装置４１を含んでいる。より具体的には、吸引口４ａ（連結部３１ｂの内側面３１ｄ）は、図７に示されるような、コアビット支持部３３ａに接続されているコアドリルユニット側配管４２に、コアビット支持部３３ａの内部を経由して連通するようになっている。そして、コアドリルユニット側配管４２は、切替バルブ装置４３を間に介して集じん装置側配管４７と連通するようになっている。そして、集じん装置側配管４７の途中に吸引力発生装置４１が設けられている。
【００４３】
ここで、吸引力発生装置４１は、吸引口４ａにおける吸引力を発生させて粉じんを含む空気を吸引するものである。また、吸引力発生装置４１は、図７に示されるような、吸引口４ａから吸引された空気をコアドリルユニット側配管４２及び集じん装置側配管４７の下流側に送り込み、集じん装置側配管４７の途中に設けられて、吸引力発生装置４１の上流側に配置される後述する第１集じん装置４４〜第３集じん装置４６を強制的に通過させるものである。そして、吸引力発生装置４１は、図１、７、１１に示されるような、ブロワー４１ａを含んでいる。
【００４４】
吸引力発生装置４１は、コアドリルユニット３により屋上スラブ２０の切削時において、吸引口４ａからコアビット３１の内部の集じんを行うだけでなく、コアビット３１の下端部側の外周面３１ｅ外側の集じんも行うことができる。上述したように、切削刃３２の凸部３２ａは、外側面３２ｃが胴体部３１ａの外周面３１ｅより外側に突出するとともに、内側面３２ｄが胴体部３１ａの内周面３１ｃより内側に突出するように設けられている。そして、図６に示すように、コアドリルユニット３が屋上スラブ２０を円環状に切削することにより形成される略円柱状のコアガラ１０は、胴体部３１ａの内周面３１ｃとの間に隙間３１ｆを有するような外径寸法に形成される。さらに、コアビット３１の下端部側の外周面３１ｅ外側の空気は、吸引力発生装置４１の吸引力により、切削刃３２の溝部３２ｂ及びコアビット３１の隙間３１ｆを経由して、コアビット３１の内部に流入する。このため、吸引力発生装置４１は、コアドリルユニット３により屋上スラブ２０の切削時において、コアビット３１の下端部側の外周面３１ｅ外側の集じんを行うことができる。
【００４５】
また、吸引力発生装置４１は、屋上スラブ２０に貫通孔２０ｂを形成する際に、コアドリルユニット３の内部に入り込むように形成されるコアガラ１０が、コアドリルユニット３の内部からの脱落しない位の吸引力を発生させるものである。
【００４６】
また、他の幾つかの実施形態では、屋上スラブ吊孔穿孔装置１は、図８、９に示されるような、コアガラ脱落防止装置５をさらに備えている。ここで、図８は、本発明の一実施形態におけるコアガラ脱落防止装置の動作を説明するための図であって、コアガラ支持台が後進した状態を示す図である。図９は、本発明の一実施形態におけるコアガラ脱落防止装置の動作を説明するための図であって、コアガラ支持台が前進した状態を示す図である。コアガラ脱落防止装置５は、図８、９に示されるような、枠本体２１の端枠部２１ｄ，２１ｅの内部に固定されるコアガラ脱落防止装置本体５２と、コアガラ脱落防止装置本体５２から水平方向に沿って、コアガラ脱落防止装置本体５２から離隔する前進運動及びコアガラ脱落防止装置本体５２に近付く後進運動が可能に構成されているコアガラ支持台５１と、を含むものである。コアガラ脱落防止装置本体５２は、前進運動及び後進運動が可能な板状の先端部５２ａを有している。また、コアガラ支持台５１は、コアガラ脱落防止装置本体５２の先端部５２ａに突合されて固定される板状の固定板部５１ａと、固定板部５１ａから水平方向に沿って突出する板状の支持板部５１ｂと、を有している。
【００４７】
コアビット３１は、図８、９に示されるような、コアガラ支持台５１が後進運動を行い、コアガラ脱落防止装置本体５２に近付いている場合には、開口３１ｇは塞がれていないが、コアガラ支持台５１が前進運動を行い、コアガラ脱落防止装置本体５２から離れた場合には、開口３１ｇの少なくとも一部が塞がれる。そして、コアガラ支持台５１は、コアビット３１の開口３１ｇの少なくとも一部を塞いだ状態において、コアガラ１０に吸引装置４による吸引力が働かなくなった場合には、支持板部５１ｂがコアガラ１０を下側から支持するようになっている。
【００４８】
また、他の幾つかの実施形態では、図７に示されるような、吸引装置４の切替バルブ装置４３は、吸引力発生装置４１で発生される吸引力を複数のコアドリルユニット３の一つに択一的に供給することが可能に構成されている。切替バルブ装置４３は、図７に示されるような、複数のコアドリルユニット３各々に一端部が接続されている複数のコアドリルユニット側配管４２それぞれの他端部に接続されている。そして、切替バルブ装置４３は、集じん装置側配管４７を複数のコアドリルユニット側配管４２の一つにのみ連通させるようになっている。なお、切替バルブ装置４３は、図７に示されるような構成に限定されるものではなく、複数のコアドリルユニット側配管４２に個別に開閉弁（バルブ）を設ける構成や、二方弁や三方弁などを組み合わせる構成なども含むものである。
【００４９】
幾つかの実施形態では、吸引装置４は、図７に示されるような、切替バルブ装置４３の下流側に配置されるサイクロン式の第１集じん装置４４と、第１集じん装置４４の下流側に配置されるフィルター式の第２集じん装置４５と、第２集じん装置４５の下流側に配置されるエアフィルター式の第３集じん装置４６と、を含んでいる。第１集じん装置４４、第２集じん装置４５及び第３集じん装置４６は、図１、２、１１に示されるような、枠本体２１の中央枠部２１ｃの内部に配置されている。
【００５０】
第１集じん装置４４は、図７に示されるような、空気中に含まれる粉じんを遠心分離する第１集じん装置本体４４ａと、第１集じん装置本体４４ａの下方に設けられて、第１集じん装置本体４４ａ下部の排出部に連通して第１集じん装置本体４４ａで遠心分離された粉じんを回収する箱状の第１集じん回収容器４４ｂと、を有するものである。そして、第１集じん回収容器４４ｂは、第１集じん装置本体４４ａに対して着脱可能に設けられている。
【００５１】
第２集じん装置４５は、図７に示されるような、バグフィルタを有するバグフィルタ装置を含むものであって、内部に装着される繊維状のフィルター（ろ布）で粉じんをろ過して分離する第２集じん装置本体４５ａと、第２集じん装置本体４５ａで分離された粉じんを回収する箱状の第２集じん回収容器４５ｂと、を有するものである。そして、第２集じん回収容器４５ｂは、第２集じん装置本体４５ａに対して着脱可能に設けられている。また、第２集じん装置本体４５ａは、その内部に連通するようにエアコンプレッサー４８が接続され、エアコンプレッサー４８により圧縮された加圧空気によって、上述した繊維状のフィルターに補足された粉じんが払い落とされる。
【００５２】
第３集じん装置４６は、図７に示されるような、ＨＥＰＡフィルターを有するＨＥＰＡフィルター装置を含むものであって、第１集じん装置４４及び第２集じん装置４５を通過した僅かな集じんをより高精度で分離回収するものである。そして、第３集じん装置４６を通過した空気は、サイレンサー４９を通過した後に外気に放出される。
【００５３】
幾つかの実施形態では、屋上スラブ吊孔穿孔装置１は、図１〜３、５〜７、１１に示されるような、上述した枠体２と、上述した少なくとも一つのコアドリルユニット３と、上述した吸引装置４と、を備えている。
【００５４】
上記の構成によれば、屋上スラブ吊孔穿孔装置１は、屋上スラブ２０の床面１０ａ上に載置される枠体２と、枠体２に固定されて、屋上スラブ２０を円環状に切削して貫通孔１０ｂ（吊孔）を形成する乾式のコアドリルユニット３と、吸引装置４と、を備えている。そして、屋上スラブ吊孔穿孔装置１は、吸引装置４がコアドリルユニット３の切削箇所近傍の集じんを行うので、コアドリルユニット３により屋上スラブ２０を切削する際に生じる粉じんが飛散することを抑制することができる。
【００５５】
また、屋上スラブ吊孔穿孔装置１は、吸引装置４が吸引力によりコアガラ１０のコアドリルユニット３の内部からの脱落を防止可能であるので、コアガラ１０が貫通孔１０ｂを通り、屋上スラブ２０の下方に落下するのを防止することができ、かつ、コアガラ１０がコアドリルユニット３の外部に直接的に影響を与えることを妨げることができる。
【００５６】
したがって、上記の構成によれば、作業者の健康被害や作業環境の悪化を抑制することができる。
【００５７】
また、他の幾つかの実施形態では、コアドリルユニット３は、図５、６に示されるような、上述したコアビット３１と、上述した切削刃３２と、上述したドリルユニット３３と、を備えている。
【００５８】
上記の構成によれば、コアドリルユニット３は、円筒状のコアビット３１と、コアビット３１の軸方向の一端部に設けられる切削刃３２と、ドリルユニット３３と、を備えている。そして、ドリルユニット３３は、コアビット３１を回転可能に支持するとともに、コアビット３１を回転駆動させるものである。さらに、ドリルユニット３３は、コアビット３１を屋上スラブ２０の厚さ方向に沿って昇降可能である。このようなドリルユニット３３は、切削刃３２がコアビット３１と一緒にドリルユニット３３により回転駆動して、屋上スラブ２０の厚さ方向に沿って円環状に切削することにより、移送用の吊孔（貫通孔１０ｂ）を形成することができる。
【００５９】
また、他の幾つかの実施形態では、コアドリルユニット３は、図１〜３、５、８、９に示されるような、上述した枠体２に対して水平な方向に沿って直線移動可能に構成されている。
【００６０】
上記の構成によれば、コアドリルユニット３は、枠体２に対して水平な方向に沿って直線移動可能に構成されているので、コアドリルユニット３を枠体２に対して水平な方向に沿って直線に移動した場所で、コアドリルユニット３による屋上スラブ２０の切削を行うことができる。このため、例えばコアドリルユニット３による切削対象である屋上スラブ２０や屋上スラブ２０の下方に設けられる部材が固いなどの理由によって、コアドリルユニット３による切削が困難な場合には切削箇所を変更することができる。
【００６１】
また、他の幾つかの実施形態では、コアドリルユニット３は、図５、６、８、９に示されるような、上述したコアビット３１を含んでいる。そして、屋上スラブ吊孔穿孔装置１は、図８、９に示されるような、上述したコアガラ支持台５１を有するコアガラ脱落防止装置５を備えている。
【００６２】
上記の構成によれば、屋上スラブ吊孔穿孔装置１は、コアビット３１の開口３１ｇの少なくとも一部を塞ぐように移動可能に構成されるコアガラ支持台５１を有するコアガラ脱落防止装置５を備えるので、コアガラ１０に吸引装置４による吸引力が働かなくなった場合には、コアガラ１０はコアガラ支持台５１に支持されるため、コアガラ１０が貫通孔１０ｂを通り、屋上スラブ２０の下方に落下するのを防止することができる。
【００６３】
また、他の幾つかの実施形態では、屋上スラブ吊孔穿孔装置１は、図１〜３、５、６、８、９に示されるような、上述した複数のコアドリルユニット３を備えている。そして、吸引装置４は、図１、７、１１に示されるような、上述した吸引力発生装置４１と、上述した切替バルブ装置４３と、を含むものである。
【００６４】
上記の構成によれば、吸引装置４は、吸引力を発生させる吸引力発生装置４１と、吸引力発生装置４１で発生される吸引力を複数のコアドリルユニット３の一つに択一的に供給するための切替バルブ装置４３と、を含むものであるので、吸引力発生装置４１で発生される吸引力は、切替バルブ装置４３により一つのコアドリルユニット３のみに供給される。このため、吸引力発生装置４１は、一つのコアドリルユニット３がコアガラ１０の内部からの脱落を防止できる位の吸引力を発生させれば良いので、必要な吸引力の増大に伴う吸引力発生装置４１や屋上スラブ吊孔穿孔装置１の大型化や重量化を防止することができる。
【００６５】
また、他の幾つかの実施形態では、吸引装置４は、図１、７、１１に示されるような、上述した第１集じん装置４４と、上述した第２集じん装置４５と、上述した第３集じん装置４６と、を含むものである。この場合には、吸引装置４は、サイクロン式の第１集じん装置４４、フィルター式の第２集じん装置４５、エアフィルター式の第３集じん装置４６の順に三段階にわたって集じんを行うことができるので、吸引装置４から外部に排出される空気に含まれる集じんの量を少なくすることができる。
【００６６】
また、他の幾つかの実施形態では、吸引装置４は、図１、７、１１に示されるような、上述した第１集じん装置４４と、上述した第２集じん装置４５と、上述した第３集じん装置４６と、を含むものである。そして、第１集じん装置４４は、図７に示されるような、上述した第１集じん回収容器４４ｂを有している。さらに、第２集じん装置４５は、図７に示されるような、上述した第２集じん回収容器４５ｂを有している。この場合には、吸引装置４は、サイクロン式の第１集じん装置４４、フィルター式の第２集じん装置４５、エアフィルター式の第３集じん装置４６の順に三段階にわたって集じんを行う。そして、粉じんが溜まりやすい第１集じん装置４４や第２集じん装置４５は、着脱可能な第１集じん回収容器４４ｂや第２集じん回収容器４５ｂの内部に粉じんを溜めることができる。そして、第１集じん回収容器４４ｂや第２集じん回収容器４５ｂの内部に所定量の粉じんが溜まった場合には、作業者は、これらの集じん回収容器（第１集じん回収容器４４ｂや第２集じん回収容器４５ｂ）を新しいものに交換すればよいので、集じん回収容器の交換時に粉じんが第１集じん回収容器４４ｂや第２集じん回収容器４５ｂから外部に飛散することを防止することができる。
【００６７】
図１０は、本発明の一実施形態にかかる屋上スラブ吊孔穿孔装置の制御システムの構成図を概略的に示す概略図である。図１１は、本発明の一実施形態にかかる屋上スラブ吊孔穿孔装置における穿孔状況確認装置を説明するための説明図である。
【００６８】
他の幾つかの実施形態では、屋上スラブ吊孔穿孔装置１は、図１０に示されるように、遠隔操作可能に構成されている。より具体的には、屋上スラブ吊孔穿孔装置１は、図１〜３、１１に示されるような、枠本体２１の中央枠部２１ｃの内部に配置される制御盤６と、制御盤６の内部に配置される第１制御装置６１と、屋上スラブ吊孔穿孔装置１に設けられて、第１制御装置６１に接続される装置側無線装置６２（無線装置）と、枠本体２１の中央枠部２１ｃの内部に配置される駆動力発生装置８と、を備えている。また、屋上スラブ吊孔穿孔装置１とは離れた位置にある操作室７は、図１０に示されるような、操作室７の内部に配置される第２制御装置７１と、操作室７に設けられて、第２制御装置７１に接続される操作室側無線装置７２と、操作室７の内部に配置されて、第２制御装置７１に接続される第２入出力装置７３と、を備えている。
【００６９】
駆動力発生装置８は、コアドリルユニット３、吸引装置４及びコアガラ脱落防止装置５の駆動力を発生させるものであって、例えばディーゼル式の発電機やコンプレッサーなどを含むものである。装置側無線装置６２及び操作室側無線装置７２は、互いに離れた位置に配置されていても、互いに信号の送受信が可能に構成されている。第１制御装置６１及び第２制御装置７１のそれぞれは、図示しない信号入力部、信号出力部、記憶部、演算部等が設けられている。そして、第１制御装置６１は、コアドリルユニット３、吸引装置４、コアガラ脱落防止装置５及び駆動力発生装置８に接続されている。
【００７０】
第１制御装置６１は、図１０に示されるような、コアドリルユニット３、吸引装置４、コアガラ脱落防止装置５及び駆動力発生装置８から送られる信号や、無線装置（装置側無線装置６２及び操作室側無線装置７２）を経由して、第２制御装置７１及び第２入出力装置７３から送られる信号などに基づいて、コアドリルユニット３、吸引装置４、コアガラ脱落防止装置５及び駆動力発生装置８の制御を行うものである。また、第１制御装置６１は、無線装置（装置側無線装置６２及び操作室側無線装置７２）を経由して、第２制御装置７１及び第２入出力装置７３に信号を送るものである。上記の構成により、作業者は、屋上スラブ吊孔穿孔装置１から離れた操作室７において、第２入出力装置７３の操作を行うことにより、コアドリルユニット３、吸引装置４、コアガラ脱落防止装置５及び駆動力発生装置８を遠隔操作することができる。
【００７１】
また、他の幾つかの実施形態では、屋上スラブ吊孔穿孔装置１は、図１０に示されるように、第１制御装置６１に着脱可能に接続される第１入出力装置６３をさらに備えている。この場合には、作業者は、屋上スラブ吊孔穿孔装置１の近傍において、第１入出力装置６３の操作を行うことにより、コアドリルユニット３、吸引装置４、コアガラ脱落防止装置５及び駆動力発生装置８を操作することができる。
【００７２】
また、他の幾つかの実施形態では、上述したコアドリルユニット３及び上述した吸引装置４は、遠隔操作可能に構成されている。そして、屋上スラブ吊孔穿孔装置１は、図１０に示されるような、上述した装置側無線装置６２を備えている。この場合には、屋上スラブ吊孔穿孔装置１は、枠体２の内部に配置される装置側無線装置６２によりコアドリルユニット３や吸引装置４を遠隔操作可能に構成されているので、作業者は屋上スラブ吊孔穿孔装置１から離れた所から遠隔操作により、屋上スラブ２０を切削することができる。このため、作業者の健康被害や作業環境の悪化を抑制することができる。
【００７３】
また、他の幾つかの実施形態では、屋上スラブ吊孔穿孔装置１は、図１〜３、１０、１１に示されるような、上述した駆動力発生装置８を備えている。この場合には、屋上スラブ吊孔穿孔装置１は、コアドリルユニット３や吸引装置４の駆動力を発生させる駆動力発生装置８を枠体２の内部に備えているので、屋上スラブ吊孔穿孔装置１は、例えば揚重機による搬送先においてコアドリルユニット３や吸引装置４を駆動させることができる。上記の構成によれば、作業者は、屋上スラブ吊孔穿孔装置１が作業者から離れた遠隔地に配置された場合においても、コアドリルユニット３や吸引装置４を駆動させることができる。
【００７４】
また、他の幾つかの実施形態では、屋上スラブ吊孔穿孔装置１は、図１１に示されるような、コアドリルユニット３による屋上スラブ２０の穿孔状況を確認するための穿孔状況確認装置９をさらに備えている。そして、穿孔状況確認装置９は、図１１に示されるような、コアドリルユニット３の切削箇所近傍を撮影する撮像装置９１と、コアドリルユニット３の切削音を収集する集音装置９２と、の少なくともいずれか一つを含んでいる。また、穿孔状況確認装置９は、第１制御装置６１に接続されて、第１制御装置６１に撮像情報や切削音などの情報を送信可能になっている。この場合には、作業者は、屋上スラブ吊孔穿孔装置１から離れた所から穿孔状況確認装置９によりコアドリルユニット３による屋上スラブ２０の穿孔状況を確認することができるので、遠隔操作により屋上スラブ２０を効率的に切削することができる。
【００７５】
図１２は、本発明の一実施形態にかかる屋上スラブ吊孔穿孔装置に連結される玉掛け装置の斜視図を概略的に示す概略斜視図である。図１３は、本発明の一実施形態にかかる屋上スラブ吊孔穿孔装置と玉掛け装置との連結を説明するための説明図である。
【００７６】
また、他の幾つかの実施形態では、枠体２は、図１〜３、１１、１３に示されるような、枠本体２１の中央枠部２１ｃの上方に設けられて、枠体２と玉掛け装置１５との連結時において玉掛け装置１５の位置決めを行うガイド部２３と、枠本体２１の中央枠部２１ｃの上方に設けられて、玉掛け装置１５との連結に用いられる開口２４ａを有する少なくとも一つの連結部２４と、を含んでいる。ここで、屋上スラブ吊孔穿孔装置１は、揚重機にワイヤ１４を用いて吊り下げられた玉掛け装置１５に着脱可能に連結固定されることにより、玉掛け装置１５と一緒に揚重機に吊り下げられて搬送可能なものである。
【００７７】
玉掛け装置１５は、図１２、１３に示されるような、中央部に四角孔１５ａを有する四角枠状に形成されている。そして、玉掛け装置１５は、四隅部の上面から上方に立接する板状のワイヤ取付部１５ｂが設けられている。そして、ワイヤ取付部１５ｂには、揚重機のワイヤ１４を取付けるための、厚さ方向に沿って貫通する貫通孔１５ｃが形成されている。また、玉掛け装置１５は、図１３に示されるような、中空状に形成されており、互いに対向する二辺それぞれの内部であって両端部寄りの位置それぞれに連結装置１６の連結装置本体１６ｂが固定されている。そして、玉掛け装置１５は、四隅部の連結装置１６が設けられる側の側面及び下側が開口している。連結装置１６は、棒状の先端部１６ａが連結装置本体１６ｂから離隔して玉掛け装置１５の隅部に向かう前進運動及び連結装置本体１６ｂに近付く後進運動が可能に構成されている。
【００７８】
枠体２のガイド部２３は、図１〜３、１１、１３に示されるような、水平方向における外形寸法が玉掛け装置１５の四角孔１５ａの内形形状よりも小さく形成されており、玉掛け装置１５の四角孔１５ａの内部に挿入可能に構成されている。そして、ガイド部２３は、水平方向の四方それぞれに玉掛け装置１５を構成する四つの辺部それぞれを案内するための傾斜面２３ａを有している。このため、玉掛け装置１５は、枠本体２１の中央枠部２１ｃ上に載置される際に、ガイド部２３の４つの傾斜面２３ａに案内されて、四角孔１５ａの内部にガイド部２３が挿入されることにより枠体２との位置決めが行われる。
【００７９】
枠体２の連結部２４は、図１〜３、１１、１３に示されるような、枠本体２１の中央枠部２１ｃの上面におけるガイド部２３の四隅部近傍それぞれから上方に立接する板状に形成されており、厚さ方向に沿って貫通する開口２４ａを有している。枠体２の連結部２４は、玉掛け装置１５が枠本体２１の中央枠部２１ｃ上に載置される際に、玉掛け装置１５の隅部の内部に挿入される。そして、枠体２は、連結部２４の開口２４ａに連結装置１６の先端部１６ａが挿入されることにより、玉掛け装置１５に着脱可能に連結されている。
【００８０】
また、他の幾つかの実施形態では、枠体２は、図１〜３、１１、１３に示されるような、上述したガイド部２３と上述した開口２４ａを有する連結部２４とを含んでいる。この場合には、枠体２は、玉掛け装置１５との連結時において玉掛け装置１５の位置決めを行うガイド部２３や、玉掛け装置１５との連結に用いられる開口２４ａを有する連結部２４を含むものであるので、屋上スラブ吊孔穿孔装置１と玉掛け装置１５との位置合わせや連結を容易に行うことができる。
【００８１】
また、他の幾つかの実施形態では、玉掛け装置１５は、遠隔操作可能に設けられている。より具体的には、玉掛け装置１５は、図１２に示されるような、駆動力発生装置１７及び制御盤１８をさらに備えている。そして、玉掛け装置１５は、制御盤１８の内部に、図１０に示されるような上述した制御盤６の内部の構成と同様の構成を有している。すなわち、玉掛け装置１５は、制御盤１８の内部に、不図示の第１制御装置及び不図示の装置側無線装置をさらに備えている。この場合には、作業者は、屋上スラブ吊孔穿孔装置１が作業者から離れた遠隔地に配置された場合においても、玉掛け装置１５の取付け及び取外しを行うことができる。
【００８２】
本発明は上述した実施形態に限定されることはなく、上述した実施形態に変形を加えた形態や、これらの形態を適宜組み合わせた形態も含む。
【符号の説明】
【００８３】
１      屋上スラブ吊孔穿孔装置
２        枠体
２１        枠本体
２１ａ        縦枠部材
２１ｂ        横枠部材
２１ｃ        中央枠部
２１ｄ，２１ｅ  端枠部
２２        支持脚
２３        ガイド部
２３ａ        傾斜面
２４        連結部
２４ａ        開口
３        コアドリルユニット
３１        コアビット
３１ａ        胴体部
３１ｂ        連結部
３１ｃ        内周面
３１ｄ        内側面
３１ｅ        外周面
３１ｆ        隙間
３１ｇ        開口
３２        切削刃
３２ａ        凸部
３２ｂ        溝部
３２ｃ        外側面
３２ｄ        内側面
３３        ドリルユニット
３３ａ        コアビット支持部
３３ｂ        駆動源内蔵部
３３ｃ        支柱部
３３ｄ        スライド部
３３ｅ        スライド用駆動源
３３ｆ          ラック
４        吸引装置
４１        吸引力発生装置
４１ａ        ブロワー
４２        コアドリルユニット側配管
４３        切替バルブ装置
４４        第１集じん装置
４４ａ        第１集じん装置本体
４４ｂ        第１集じん回収容器
４５        第２集じん装置
４５ａ        第２集じん装置本体
４５ｂ        第２集じん回収容器
４６        第３集じん装置
４７        集じん装置側配管
４８        エアコンプレッサー
４９        サイレンサー
５        コアガラ脱落防止装置
５１        コアガラ支持台
６        制御盤
６１        第１制御装置
６２        装置側無線装置
６３        第１入出力装置
７      操作室
７１        第２制御装置
７２        操作室側無線装置
７３        第２入出力装置
８      駆動力発生装置
９        穿孔状況確認装置
９１        撮像装置
９２        集音装置
１０    コアガラ
１１    スライドテーブル装置
１１ａ    ガイドレール
１１ｂ    スライドテーブル
１２        収納容器
１４    ワイヤ
１５    玉掛け装置
１５ａ      四角孔
１５ｂ      ワイヤ取付部
１５ｃ      貫通孔
１６      連結装置
１７      駆動力発生装置
１８      制御盤
１９    屋上スラブ解体方法
２０    屋上スラブ
２０ａ    床面
２０ｂ    貫通孔
Ｌｃ        軸線
【図１】
2019049153.tif 000003
【図２】
2019049153.tif 000004
【図３】
2019049153.tif 000005
【図４】
2019049153.tif 000006
【図５】
2019049153.tif 000007
【図６】
2019049153.tif 000008
【図７】
2019049153.tif 000009
【図８】
2019049153.tif 000010
【図９】
2019049153.tif 000011
【図１０】
2019049153.tif 000012
【図１１】
2019049153.tif 000013
【図１２】
2019049153.tif 000014
【図１３】
2019049153.tif 000015